(57)【要約】【課題】着用時のカップ部の倒れを抑制でき、カップ部によるバストの造形性を十分に確保できるカップ付き衣類を提供する。【解決手段】左右一対のカップ部２と、カップ部２の下縁部１３側を支持する土台部３と、左右一対のカップ部２のそれぞれに配置される可撓性のフレーム部材２１と、を備え、フレーム部材２１は、第１の支持片２２と第２の支持片２３と含む一体成型体であり、第１の支持片２２は、カップ部２の脇縁部１２に沿う第１の部分２２Ａと、第１の部分２２Ａから延長して土台部３に重なる第２の部分２２Ｂと、を有し、第２の支持片２３は、第１の支持片２２の第１の部分２２Ａに設けられた分岐部２４からカップ部２の中央側に分岐し、カップ部２の上縁部１１に向かって延びている。【選択図】図３
2020180411.tif 000002
【特許請求の範囲】
【請求項１】
左右一対のカップ部と、
前記カップ部の下縁部側を支持する土台部と、
前記左右一対のカップ部のそれぞれに配置される可撓性のフレーム部材と、を備え、
前記フレーム部材は、第１の支持片と第２の支持片と含む一体成型体であり、
前記第１の支持片は、前記カップ部の脇縁部に沿う第１の部分と、当該第１の部分から延長して前記土台部に重なる第２の部分と、を有し、
前記第２の支持片は、前記第１の支持片の前記第１の部分に設けられた分岐部から前記カップ部の中央側に分岐し、前記カップ部の上縁部に向かって延びているカップ付き衣類。
【請求項２】
前記第１の支持片及び前記第２の支持片は、帯状をなしている請求項１記載のカップ付き衣類。
【請求項３】
前記分岐部の曲げ剛性は、他の部位の曲げ剛性よりも高くなっている請求項１又は２記載のカップ付き衣類。
【請求項４】
前記フレーム部材の縁部分の厚さは、前記フレーム部材の中央部分の厚さに比べて小さくなっている請求項１〜３のいずれか一項記載のカップ付き衣類。
【請求項５】
前記第１の支持片の前記第１の部分と前記第２の支持片の基端部とを連結する連結部を更に有する請求項１〜４のいずれか一項記載のカップ付き衣類。
【請求項６】
前記連結部の厚さは、前記分岐部の厚さよりも小さくなっている請求項５記載のカップ付き衣類。
【請求項７】
前記第１の支持片の上縁部及び前記第２の支持片の上縁部の少なくとも一方は、前記カップ部の上縁部に位置している請求項１〜６のいずれか一項記載のカップ付き衣類。
【請求項８】
前記第１の支持片の下縁部は、前記土台部の下縁部に位置している請求項１〜７のいずれか一項記載のカップ付き衣類。
【発明の詳細な説明】
【技術分野】
【０００１】
本開示は、カップ付き衣類に関する。
【背景技術】
【０００２】
従来のカップ付き衣類として、バストを支持するための金属製のワイヤ部材をカップ部の下縁部に沿って配置したものがある。例えば特許文献１に記載のブラジャーでは、カップ部の下縁部がワイヤで補強されていると共に、カップ部の脇部を縦断するように形状安定性を有するボーンが配置されている。
【先行技術文献】
【特許文献】
【０００３】
【特許文献１】実用新案登録第３０２０７７７号公報
【発明の概要】
【発明が解決しようとする課題】
【０００４】
上記特許文献１に記載のブラジャーのように、カップ部にワイヤ部材及び当該ワイヤ部材と別体のボーンを配置した構成では、着用者のバストの脇流れを抑制する効果は生じ得るが、着用時にカップ部が着用者の前方に倒れやすい。このため、着用時にカップ部が着用者のバスト上部から離れ、カップ部によるバストの造形性が低下するという問題が生じ得る。
【０００５】
本開示は、上記課題の解決のためになされたものであり、着用時のカップ部が着用者のバスト上部から離れることを抑制でき、カップ部によるバストの造形性を十分に確保できるカップ付き衣類を提供することを目的とする。
【課題を解決するための手段】
【０００６】
本開示の一側面に係るカップ付き衣類は、左右一対のカップ部と、カップ部の下縁部側を支持する土台部と、左右一対のカップ部のそれぞれに配置される可撓性のフレーム部材と、を備え、フレーム部材は、第１の支持片と第２の支持片と含む一体成型体であり、第１の支持片は、カップ部の脇縁部に沿う第１の部分と、当該第１の部分から延長して土台部に重なる第２の部分と、を有し、第２の支持片は、第１の支持片の第１の部分に設けられた分岐部からカップ部の中央側に分岐し、カップ部の上縁部に向かって延びている。
【０００７】
このカップ付き衣類では、左右一対のカップ部のそれぞれに可撓性のフレーム部材が配置されている。フレーム部材の第１の支持片は、カップ部の脇縁部に沿うと共に、土台部に重なるように延在している。また、カップ部の脇縁部には、第１の支持片と第２の支持片との分岐部が位置している。フレーム部材は、第１の支持片と第２の支持片とを含む一体成型体であるため、第１の支持片と第２の支持片とが別体である場合に比べて、分岐部でカップ部の脇側がしっかりと支持される。この分岐部を含む第１の支持片によってカップ部の脇側が支持されることで、着用者のバストの脇流れを抑制する効果が良好に発揮される。
【０００８】
また、このカップ付き衣類では、第１の支持片からカップ部の中央側に分岐する第２の支持片がカップ部の上縁部に向かって延びている。この第２の支持片が第１の支持片と一体となっているため、第２の支持片によって着用時にカップ部が外側へ倒れることを防止できる。したがって、着用時にカップ部が着用者のバスト上部から離れることを抑制でき、カップ部によるバストの造形性を十分に確保できる。カップ部において、第１の支持片と、当該第１の支持片から分岐した第２の支持片との間には、フレーム部材が配置されない領域が形成される。このため、カップ部に対するフレーム部材の形状の追従性を確保できる。また、フレーム部材による過剰な締め付けを回避でき、カップ付き衣類の付け心地の良さも保つことができる。
【０００９】
第１の支持片及び第２の支持片は、帯状をなしていてもよい。この場合、第１の支持片及び第２の支持片が線状をなす場合に比べて着用時にバストにかかる圧力を分散できるので、カップ付き衣類の着用時の快適性を向上できる。また、分岐部の面積が一層十分に確保されるため、分岐部によってカップ部の脇側が更にしっかりと支持される。したがって、良好な着用感が得られると共に、着用者のバストの脇流れを抑制する効果が一層良好に発揮される。
【００１０】
分岐部の曲げ剛性は、他の部位の曲げ剛性よりも高くなっていてもよい。この場合、分岐部によってカップ部の脇側が更にしっかりと支持され、着用者のバストの脇流れを抑制する効果が一層良好に発揮される。また、カップ部が側面視において嘴状につぶれてしまうような変形が生じにくくなり、カップ部の形状の安定性を確保できる。
【００１１】
第１の支持片及び第２の支持片の縁部分の厚さは、第１の支持片及び第２の支持片の中央部分の厚さに比べて小さくなっている。これにより、フレーム部材の肌当たりを軽減することができ、カップ付き衣類の付け心地を向上できる。
【００１２】
第１の支持片の第１の部分と第２の支持片の基端部とを連結する連結部を更に有していてもよい。この場合、連結部によって第１の支持片と第２の支持片との位置関係を一定に保つことができる。したがって、第１の支持片及び第２の支持片による効果が一層良好に発揮される。
【００１３】
連結部の厚さは、分岐部の厚さよりも小さくなっていてもよい。この場合、カップ部の脇側を支持する作用を維持しつつ、カップ部の変形に対するフレーム部材の変形の追従性を確保できる。
【００１４】
第１の支持片の上縁部及び第２の支持片の上縁部の少なくとも一方は、カップ部の上縁部に位置していてもよい。この場合、着用者のバストの脇流れを抑制する効果及び着用時にカップ部が着用者のバスト上部から離れることを抑制する効果を更に高めることができる。
【００１５】
第１の支持片の下縁部は、土台部の下縁部に位置していてもよい。この場合、第１の支持片を安定させることができ、着用者のバストの脇流れを抑制する効果を更に高めることができる。
【発明の効果】
【００１６】
本開示によれば、着用時のカップ部が着用者のバスト上部から離れることを抑制でき、バストの造形性を十分に確保できる。
【図面の簡単な説明】
【００１７】
【図１】カップ付き衣類の一実施形態を示す正面図である。
【図２】フレーム部材の一例を示す斜視図である。
【図３】カップ部及び土台部に対するフレーム部材の配置関係を示す要部拡大図である。
【発明を実施するための形態】
【００１８】
以下、図面を参照しながら、本開示の一側面に係るカップ付き衣類の好適な実施形態について詳細に説明する。
［カップ付き衣類の構成］
【００１９】
図１は、カップ付き衣類の一実施形態を示す正面図である。同図に示すように、本実施形態のカップ付き衣類１は、例えば女性用のブラジャーとして構成されている。カップ付き衣類１は、左右一対のカップ部２と、カップ部２の下縁部１３側を支持する土台部３と、土台部３の脇側から延びる左右一対のバック部４と、カップ部２とバック部４とを連結する左右一対のストラップ部５とによって構成されている。以下の説明では、左右一対のカップ部２間の中央で鉛直に延びる仮想線を前中心Ｆと称する。
【００２０】
カップ部２は、人体のバストの形状に対応するように、カップ付き衣類１の正面側に突出する椀形状をなしている。カップ部２は、バストトップの位置Ｘにおいて、最も前方に突出している。カップ部２の表面側には、装飾のための表生地が結合されていてもよい。また、カップ部２の裏面側（肌面側）には、肌触り及び吸湿性に優れる素材からなる肌側布が結合されていてもよい。
【００２１】
カップ部２は、上縁部１１、脇縁部１２、及び下縁部１３を有している。カップ部２の上縁部１１は、バストの上部に沿うように全体として上向きに凸となるように緩やかに湾曲している。上縁部１１は、中央部１１ａから前中心側端部１１ｂにかけて緩やかに下がっており、左右のカップ部２の前中心側端部１１ｂ，１１ｂによって前中心Ｆの位置を中心とする略Ｖ字状部分が画成されている。上縁部１１の脇側端部１１ｃは、脇縁部１２の上端部１２ａに繋がっている。
【００２２】
カップ部２の脇縁部１２は、バストの脇部に沿うように全体として脇側に凸となるように緩やかに湾曲している。カップ部２の下縁部１３は、脇縁部１２と連続し、バストと胴体との境界線であるバージスラインに沿うように下向きに凸となるように湾曲している。下縁部１３の脇側端部１３ａは、脇縁部１２の下端部１２ｂに繋がっている。また、下縁部１３の前中心側端部１３ｂは、上縁部１１の前中心側端部１１ｂに繋がっている。
【００２３】
本実施形態では、脇縁部１２においてカップ部２と土台部３とが凹凸なく滑らかに連続しており、カップ部２と土台部３との間の境界が必ずしも明確ではない。このため、図１では、バージスラインに相当する線をカップ部２と土台部３との間の境界線とみなし、当該境界線において脇縁部１２を示している。また、境界線と後述するフレーム部材２１の内側の縁とが交わる位置を仮想的に脇縁部１２の下端としている。
【００２４】
土台部３は、左右のカップ部２の下側において横方向に延在している。土台部３の上縁部３ａは、左右のカップ部２のそれぞれの下縁部１３に沿うように凹状に湾曲している。また、土台部３の下縁部３ｂは、前中心Ｆ側では上方に湾曲し、脇側では下方に湾曲している。本実施形態では、カップ部２及び土台部３は、例えば発泡ポリウレタンといった一定の保形性及び弾力性を有する素材を用い、モールド成型によって一体に形成されている。
【００２５】
カップ部２の下縁部１３には、ワイヤ部材は配置されておらず、カップ部２の下縁部１３と土台部３の上縁部３ａとは、滑らかに連続している。カップ部２の下縁部１３は、土台部３の上縁部３ａに対し、カップ部２の突出形状に応じた立ち上がり角度を有している。この立ち上がり角度は、カップ部２のサイズ（対応するバストのサイズ）等に応じて適宜設定される。また、バージスラインへのフィット感の向上の観点から、当該角度は、カップ部２の下縁部１３の位置に応じて異なっていてもよい。例えば下縁部１３の脇側での角度が前中心Ｆ側での角度よりも大きくなっていてもよい。
【００２６】
バック部４は、土台部３の脇縁部３ｃから延びている。バック部４は、例えばダブルニット等の伸縮性を有する素材によって帯状に形成されている。バック部４における先端側には、ホック８が設けられている。このホック８により、左右のバック部４，４が着用者の背中側で互いに係脱自在となっている。
【００２７】
ストラップ部５は、例えば長手方向に伸縮性を有するテープ状素材によって構成されている。ストラップ部５に用いられる織物等の素材は、ストラップ部５の長手方向に伸縮性を有していることが好適である。ストラップ部５は、カップ部２とバック部４との間に掛け渡され、いわゆる肩紐を構成している。ストラップ部５の一端は、カップ部２の上縁部１１に連結され、ストラップ部５の他端は、バック部４の上縁部４ａに連結されている。本実施形態では、ストラップ部５は、カップ部２及びバック部４に対して着脱自在となっている。ストラップ部５をカップ部２及びバック部４から取り外した場合、当該カップ付き衣類１は、ストラップレスのブラジャーとなる。
［フレーム部材の構成］
【００２８】
上述したカップ付き衣類１には、従来の金属製のワイヤ部材に代えて、可撓性を有するフレーム部材２１が配置されている。図２は、フレーム部材の一例を示す斜視図である。また、図３は、カップ部及び土台部に対するフレーム部材の配置関係を示す要部拡大図である。図２及び図３に示すように、フレーム部材２１は、カップ部２の脇側で主に上下方向に配置され、着用者のバストを支持する部材である。このフレーム部材２１は、カップ付き衣類１のワイヤレス化を実現すると共に、着用者のバストの脇流れを抑制する効果、及び着用時にカップ部が着用者のバスト上部から離れることの抑制によりバストの造形性を確保する効果を奏する。
【００２９】
フレーム部材２１は、例えばカップ部２及び土台部３の内部に配置されている。フレーム部材２１をカップ部２及び土台部３の内部に配置する場合、例えば発泡ポリウレタン等のモールド成型によってカップ部２及び土台部３の表面部材及び裏面（肌側面）部材の間にフレーム部材２１を挟んだ状態でこれらの部材を一体成型すればよい。
【００３０】
フレーム部材２１は、図２に示すように、第１の支持片２２と、第２の支持片２３とを有し、全体として略ｙ字状をなしている。図２では、左側のカップ部２に配置されるフレーム部材２１を図示している。右側のカップ部２に配置されるフレーム部材２１は、左右が反転する点を除いて、左側のカップ部２に配置されるフレーム部材２１と同一の構造を有している。フレーム部材２１は、例えば第１の支持片２２と第２の支持片２３とを含む全体を樹脂による射出成型によって形成した一体成型体となっている。フレーム部材２１を構成する樹脂としては、例えば熱可塑性ポリウレタン、熱可塑性ポリエステルエラストマーなどが挙げられる。
【００３１】
フレーム部材２１が一体成型体であることで、第１の支持片２２及び第２の支持片２３は、継ぎ目を有しない状態で一体化されている。また、フレーム部材２１の厚さの分布も射出成形時に形成されている。フレーム部材２１では、カップ部２の表面側を向く面には凹凸が無いが、カップ部２の裏面側（肌面側）を向く面には、第１の支持片２２及び第２の支持片２３の中央部分から縁部分に向かうにつれて緩やかな下り傾斜が設けられている。これにより、本実施形態では、フレーム部材２１の縁部分の厚さがフレーム部材２１の中央部分（縁部分を除く部分）の厚さに比べて小さくなっている。
【００３２】
第１の支持片２２は、図２及び図３に示すように、例えば幅５ｍｍ〜３０ｍｍ程度の帯状をなし、全体として直線状若しくはカップ部２の脇縁部１２の湾曲に応じて緩やかに湾曲した形状となっている。第１の支持片２２は、カップ部２の脇縁部１２に沿う第１の部分２２Ａと、当該第１の部分２２Ａから下方に延長して土台部３に重なる第２の部分２２Ｂと、を有している。第１の部分２２Ａは、脇縁部１２と土台部３との境界線と重なるように位置している。本実施形態では、脇縁部１２と土台部３との境界線は、第１の部分２２Ａの幅方向の中央よりも脇側に位置している。したがって、第１の部分２２Ａは、カップ部２の脇縁部１２に沿うように、カップ部２と土台部３とに跨って延在した状態となっている。第２の部分２２Ｂは、第１の部分２２Ａから連続し、脇縁部１２のラインから外れて下方に延びている。
【００３３】
第２の支持片２３は、例えば幅５ｍｍ〜３０ｍｍ程度の帯状をなし、全体として直線状若しくは第１の支持片２２と反対向きに緩やかに湾曲した形状となっている。第２の支持片２３は、第１の支持片２２の第１の部分２２Ａに設けられた分岐部２４からカップ部２の中央側に分岐し、カップ部２の上縁部１１に向かって延びている。第１の支持片２２に対する第２の支持片２３の分岐の角度（第１の支持片２２の中心線と第２の支持片２３の中心線とがなす角度）θは、鋭角となっている。角度θは、フレーム部材２１の平面視において、例えば２０°〜７０°、より好ましくは３５°〜５５°となっている。なお、第２の支持片２３は、全体として第１の支持片２２と同じ向きに緩やかに湾曲した形状をなしていてもよい。
【００３４】
本実施形態では、図３に示すように、第１の支持片２２の上縁部２２ａ（第１の部分２２Ａの上縁部）及び第２の支持片２３の上縁部２３ａの双方がカップ部２の上縁部１１まで延びており、当該上縁部１１に結合されている。第１の支持片２２の上縁部２２ａは、カップ部２の上縁部１１の脇側端部１１ｃと重なっている。第２の支持片２３の上縁部２３ａの位置は、カップ部２の上縁部１１においてバストトップの位置Ｘの上方となる位置よりも脇側となっている。上縁部１１とストラップ部５との結合位置は、第１の支持片２２の上縁部２２ａと第２の支持片２３の上縁部２３ａとの間の位置となっている。また、本実施形態では、第１の支持片２２の下縁部２２ｂ（第２の部分２２Ｂの下縁部）は、土台部３の下縁部３ｂまで延びており、当該下縁部３ｂに結合されている。
【００３５】
第１の支持片２２と第２の支持片２３との分岐部２４では、他の部位に比べて第１の支持片２２及び第２の支持片２３の基端部２３ｂが幅広となっている。これにより、分岐部２４では、脇縁部１２の下端部１２ｂ側を向く逆三角形状（或いは逆台形状）の面が形成されている。第１の支持片２２の下縁部２２ｂの位置を０とし、第１の支持片２２の上縁部２２ａの位置を１とし、下縁部２２ｂから上縁部２２ａまでの第１の支持片２２の位置を０〜１で表した場合、分岐部２４は、例えば第１の支持片２２の１／４〜３／４の範囲にわたって位置している。この範囲は、カップ付き衣類１のサイズによって適宜設計され得る。この分岐部２４が位置する範囲は、カップ部２を側面から見た場合に、バストトップの位置Ｘを含むものとなっていてもよい。
【００３６】
また、分岐部２４の曲げ剛性は、他の部位の曲げ剛性よりも高くなっている。本実施形態では、分岐部２４の厚さが他の部位の厚さに比べて大きくなっていることにより、分岐部２４の曲げ剛性が他の部位の曲げ剛性よりも高くなっている。第１の支持片２２では、延在方向の中央部分（分岐部２４及びその近傍）の厚さが上縁部２２ａ及び下縁部２２ｂの厚さよりも大きくなっており、第２の支持片２３では、分岐部２４の近傍に位置する基端部２３ｂの厚さが上縁部２３ａの厚さよりも大きくなっている。
【００３７】
このような第１の支持片２２と第２の支持片２３とが分岐部２４で繋がっていることで、分岐部２４の厚さが他の部位よりも盛り上がった状態となっている。そして、逆三角形状（或いは逆台形状）の面をなす分岐部２４の曲げ剛性（特に第１の支持片２２及び第２の支持片２３の延在方向の曲げ剛性）が、第１の支持片２２の上縁部２２ａ、第１の支持片２２の下縁部２２ｂ、及び第２の支持片２３の上縁部２３ａの曲げ剛性（特に第１の支持片２２及び第２の支持片２３の延在方向の曲げ剛性）に比べて高くなっている。
【００３８】
また、フレーム部材２１は、第１の支持片２２と第２の支持片２３の基端部２３ｂとを連結する連結部２５を更に有している。連結部２５は、分岐部２４によって構成される面を上方に拡張するものである。連結部２５は、上述した射出成型により、第１の支持片２２及び第２の支持片２３と一体に形成されている。連結部２５は、分岐部２４の上側に位置し、第１の支持片２２における第１の部分２２Ａの分岐部２４側と第２の支持片２３の基端部２３ｂとを連結している。連結部２５の上縁部２５ａは、フレーム部材２１の平面視において凹状をなしている。
【００３９】
フレーム部材２１において、カップ部２の裏面側（肌面側）を向く面では、連結部２５に対応する部分が緩やかに窪んだ状態となっている。このため、連結部２５の厚さは、分岐部２４の厚さよりも小さくなっている。連結部２５の厚さは、例えば第１の支持片２２の上縁部２２ａ、第１の支持片２２の下縁部２２ｂ、及び第２の支持片２３の上縁部２３ａと同程度の厚さとなっている。また、連結部２５が位置する範囲は、カップ部２を側面から見た場合に、バストトップの位置Ｘを含むものとなっていてもよい。
【００４０】
以上説明したように、カップ付き衣類１では、左右一対のカップ部２のそれぞれに可撓性のフレーム部材２１が配置されている。フレーム部材２１の第１の支持片２２は、カップ部２の脇縁部１２に沿うと共に、土台部３に重なるように延在している。また、カップ部２の脇縁部１２には、第１の支持片２２と第２の支持片２３との分岐部２４が位置している。フレーム部材２１は、第１の支持片２２と第２の支持片２３とを含む一体成型体であるため、第１の支持片２２と第２の支持片２３とが別体である場合に比べて、分岐部２４でカップ部２の脇側がしっかりと支持される。この分岐部２４を含む第１の支持片２２によってカップ部２の脇側が支持されることで、着用者のバストの脇流れを抑制する効果が良好に発揮される。
【００４１】
また、このカップ付き衣類１では、第１の支持片２２からカップ部２の中央側に分岐する第２の支持片２３がカップ部２の上縁部１１に向かって延びている。この第２の支持片２３が第１の支持片２２と一体となっているため、第２の支持片２３によって着用時にカップ部２が外側へ倒れることを防止できる。したがって、着用時にカップ部２が着用者のバスト上部から離れることを抑制でき、カップ部２によるバストの造形性を十分に確保できる。また、フレーム部材２１を配置したカップ部２では、第１の支持片２２と、当該第１の支持片２２から分岐した第２の支持片２３との間にフレーム部材２１が配置されない領域Ｒが形成される（図３参照）。このため、カップ部２に対するフレーム部材２１の形状の追従性を確保できる。また、フレーム部材２１による過剰な締め付けを回避でき、カップ付き衣類１の付け心地の良さも保つことができる。
【００４２】
カップ付き衣類１では、フレーム部材２１の第１の支持片２２及び第２の支持片２３が帯状をなしている。これにより、第１の支持片２２及び第２の支持片２３が線状をなす場合に比べて着用時にバストにかかる圧力を分散できるので、カップ付き衣類１の着用時の快適性を向上できる。また、第１の支持片２２と第２の支持片２３との分岐部２４が十分な面積を持つ面となり、分岐部２４によってカップ部２の脇側が更にしっかりと支持される。したがって、良好な着用感が得られると共に、着用者のバストの脇流れを抑制する効果が一層良好に発揮される。
【００４３】
カップ付き衣類１では、フレーム部材２１における分岐部２４の曲げ剛性が他の部位の曲げ剛性よりも高くなっている。これにより、分岐部２４によってカップ部２の脇側が更にしっかりと支持され、着用者のバストの脇流れを抑制する効果が一層良好に発揮される。また、カップ部２が側面視において嘴状につぶれてしまうような変形が生じにくくなり、カップ部２の形状の安定性を確保できる。特に、本実施形態のように、カップ付き衣類１をストラップレスとした場合には、バック部４からの引っ張り力によってカップ部２が側面視において嘴状につぶれる変形が生じ易くなる。したがって、分岐部２４の曲げ剛性を確保し、分岐部２４によってカップ部２の脇側をしっかりと支持することで、カップ部２の形状の安定性を好適に確保できる。
【００４４】
カップ付き衣類１では、フレーム部材２１における第１の支持片２２及び第２の支持片２３の縁部分の厚さが第１の支持片２２及び第２の支持片２３の中央部分の厚さに比べて小さくなっている。これにより、フレーム部材２１の肌当たりを軽減することができ、カップ付き衣類１の付け心地を向上できる。
【００４５】
カップ付き衣類１では、フレーム部材２１において、第１の支持片２２の第１の部分２２Ａと第２の支持片２３の基端部２３ｂとを連結する連結部２５が更に設けられている。この場合、連結部２５によって第１の支持片２２と第２の支持片２３との位置関係を一定に保つことができる。したがって、第１の支持片２２及び第２の支持片２３による効果が一層良好に発揮される。本実施形態では、連結部２５の厚さが分岐部２４の厚さよりも小さくなっている。これにより、連結部２５によって分岐部２４の周辺のフレーム部材２１の曲げ剛性が過剰になることを回避でき、連結部２５によってカップ部２の脇側を支持する作用を維持しつつ、カップ部２の変形に対するフレーム部材２１の変形の追従性を確保できる。
【００４６】
カップ付き衣類１では、フレーム部材２１における第１の支持片２２の上縁部２２ａ及び第２の支持片２３の上縁部２３ａがカップ部２の上縁部１１に位置している。第１の支持片２２及び第２の支持片２３がカップ部２の上縁部１１まで延びることで、着用者のバストの脇流れを抑制する効果及び着用時にカップ部２が着用者のバスト上部から離れることを抑制する効果を更に高めることができる。カップ付き衣類１では、フレーム部材２１における第１の支持片２２の下縁部２２ｂが土台部３の下縁部３ｂに位置している。第１の支持片２２が土台部３の下縁部３ｂまで延びることで、第１の支持片２２を安定させることができ、着用者のバストの脇流れを抑制する効果を更に高めることができる。
【００４７】
本開示は、上記実施形態に限られるものではない。例えば上記実施形態では、カップ部２及びバック部４に対して着脱自在のストラップ部５を備えたブラジャーをカップ付き衣類１として例示したが、カップ付き衣類は、ストラップ部５を有しないストラップレスのブラジャーであってもよい。また、上記実施形態では、フレーム部材２１がカップ部２及び土台部３の内部に配置された構成を例示したが、フレーム部材２１は、カップ部２及び土台部３の表面側或いは裏面側において外部から視認可能に配置されていてもよい。フレーム部材２１の第１の支持片２２及び第２の支持片２３は、帯状に限られず、線状などの他の形状であってもよい。
【００４８】
また、第１の支持片２２の上縁部２２ａ及び第２の支持片２３の上縁部２３ａは、必ずしもカップ部２の上縁部１１まで延びていなくてもよい。第１の支持片２２の上縁部２２ａ及び第２の支持片２３の上縁部２３ａの一方のみがカップ部２の上縁部１１まで延びていてもよく、第１の支持片２２の上縁部２２ａ及び第２の支持片２３の上縁部２３ａの双方がカップ部２の上縁部１１まで延びていなくてもよい。同様に、第１の支持片２２の下縁部２２ｂは、必ずしも土台部３の下縁部３ｂまで延びていなくてもよい。すなわち、第１の支持片２２の下縁部２２ｂが土台部３の上縁部３ａと下縁部３ｂとの間に位置していてもよい。
【００４９】
また、フレーム部材２１は、メッシュ状に形成されていてもよい。この場合、フレーム部材２１の全体がメッシュ状となっていてもよく、フレーム部材２１の一部のみがメッシュ状となっていてもよい。例えば第１の支持片２２及び第２の支持片２３の一方のみがメッシュ状となっていてもよく、分岐部２４のみがメッシュ状となっていてもよく、分岐部２４を除いた部分のみがメッシュ状となっていてもよい。
【００５０】
また、フレーム部材２１は、通気性を高めるための一又は複数の孔（通気孔）を有していてもよい。この場合、フレーム部材２１の全体の領域に複数の孔が設けられていてもよく、フレーム部材２１の一部の領域のみに一又は複数の孔が設けられていてもよい。例えば第１の支持片２２及び第２の支持片２３の一方のみに一又は複数の孔が設けられていてもよく、分岐部２４のみに一又は複数の孔が設けられていてもよく、分岐部２４を除いた部分のみに一又は複数の孔が設けられていてもよい。
【００５１】
上記実施形態では、射出成型によって形成された樹脂製のフレーム部材２１を例示したが、フレーム部材は、射出成型以外の形成方法で形成された樹脂製のフレーム部材であってもよく、樹脂製以外の可撓性のフレーム部材であってもよい。樹脂製以外で可撓性を有する素材であってフレーム部材に適用可能なものとしては、例えば金属、天然繊維、化学繊維などが挙げられる。金属としては、例えばスチール、アルミニウム、ニッケル、或いはこれらを主成分としたステンレス、ニッケルチタンといった合金などが挙げられる。天然繊維としては、動物性、植物性、鉱物性といった各種天然繊維が挙げられる。化学繊維としては、合成繊維、ガラス繊維、炭素繊維、人造鉱物繊維といった各種化学繊維が挙げられる。その他、天然繊維及び化学繊維の集合体或いは生地（積層生地を含む）などが挙げられる。
【符号の説明】
【００５２】
１…カップ付き衣類、２…カップ部、３…土台部、１１…上縁部、１２…脇縁部、１３…下縁部、２１…フレーム部材、２２…第１の支持片、２２ａ…上縁部、２２ｂ…下縁部、２２Ａ…第１の部分、２２Ｂ…第２の部分、２３…第２の支持片、２３ａ…上縁部、２３ｂ…基端部、２４…分岐部、２５…連結部。
【図１】
2020180411.tif 000003
【図２】
2020180411.tif 000004
【図３】
2020180411.tif 000005